(57)【要約】【課題】光トランシーバをゲージから解放することができるトランシーバの脱着機構を提供する。【解決手段】本発明に係る光トランシーバは、ホストシステムのケージに挿入されて使用されるプラガブルタイプの光トランシーバである。ケージとのラッチ機構を解除するために、本発明に係る光トランシーバにおいては、ベール１００と、樹脂製のレセプタクル３００と、樹脂製のアクチュエータ２００とを有する。ベール１００はレセプタクル２００に回転可能に装着される。ベール１００はカムを有し、このカムに機能により、ベール１００の回転運動がアクチュエータ２００のシーソー運動に転換され、アクチュエータの一方端に設けられ、ケージと係合している突起を引き込むことで、このケージとの間の係合状態を解除することができる。【選択図】図１
2005317540.tif 000002
【特許請求の範囲】
【請求項１】
ホストシステムのケージに係合して用いられるプラガブル光トランシーバであって、
突起を有する一対の側壁及び中央隔壁とを備えるレセプタクルと、
該レセプタクルに装着され、一対の脚部と該脚部を連結するブリッジ部とを有し、該脚部はそれぞれ該レセプタクルに備わる突起が貫通する開口を有し、該突起を中心として回転するベールと、
アーム部と支点と本体部を有し、該アーム部と該本体部とは該支点の回りでシーソー運動をし、該アーム部はその先端に突起を備えるアクチュエータと、
を含み、
該ベールは、該アームの先端に形成された突起と該ケージとのラッチ状態を解除するために、該ベールの回転運動を該アクチュエータのシーソー運動に変換するカムを有する
ことを特徴とする光トランシーバ。
【請求項２】
前記アクチュエータは内滑り面と外滑り面とを有し、前記カムが該内滑り面上に接触している請求項１に記載の光トランシーバ。
【請求項３】
前記ベールの脚部はその先端部に滑り突起を有し、該滑り突起は前記アクチュエータの外滑り面に接触している請求項２に記載の光トランシーバ。
【請求項４】
前記滑り突起と前記カムとが前記アクチュエータを挟み込んでいる請求項２又は３に記載の光トランシーバ。
【請求項５】
前記ベールの脚部は前記開口を含む主面と、前記滑り突起を含む他の面とを有し、該主面と該他の面とがオフセットされている請求項１乃至４のいずれかに記載の光トランシーバ。
【請求項６】
前記カムは第１、第２、第３の部位を有し、該第２部位は実質的に直線形状を有し、該第２部位とベールの回転中心までの距離は、該第１部位の回転中心までの距離よりも大きく、
前記ベールが該アームの突起とケージとが係合している場合に、前記アクチュエータの内滑り面と前記カムの第１部位とが接触し、前記カムの第２部位と該内滑り面とが所定の角度を為し、前記アクチュエータは、前記ベールが前記所定の角度だけ回転して初めて前記シーソー運動を開始する、
請求項１乃至５のいずれかに記載の光トランシーバ。
【請求項７】
前記アクチュエータの前記本体部前端を押し下げることにより前記シーソー運動が前記ベールの回転運動に転換される、請求項１乃至６のいずれかに記載の光トランシーバ。
【請求項８】
前記レセプタクル、前記アクチュエータが樹脂モールド製である、請求項１乃至７のいずれかに記載の光トランシーバ。
【発明の詳細な説明】
【技術分野】
【０００１】
本発明は、光トランシーバ、なかんずくプラガブル型光トランシーバのケージからの解除機構に関する。
【背景技術】
【０００２】
プラガブルトランシーバは、ホストの回路基板上に設置されたケージに挿入されて使用される。ケージは金属製の筐体で、一方の端面が開放され、この開放端がホストシステムのフェースパネルに開いており、そこにトランシーバが挿入される。ホストシステム側でケージが搭載されている基板上には、ケージ内の奥端側にはトランシーバと係合する電気コネクタが搭載されていて、トランシーバがケージに挿入されるとこのコネクタにトランシーバ内の電気プラグが挿入され、トランシーバとホストシステムとの間の通信が確保される。
【０００３】
トランシーバがケージに挿入されたならば、ケージから容易に解除されないことが望ましい。そのため、両者の間には、トランシーバに光コネクタが挿入され、トランシーバ内に搭載された半導体光素子と光コネクタ中の光ファイバとが光結合している場合には、トランシーバがケージから抜けない機構が備えられている。従来のプラガブルトランシーバでは、トランシーバ下面に設けてある突起が、ケージ前端面にあるラッチ片の孔に係合して、トランシーバがケージから引き抜けない様にしていた。引き抜くには、トランシーバ側の突起をトランシーバ内に引き込み、ラッチ片の孔との係合状態を解除することが必要である。もしくは、ラッチ片をトランシーバから外方に押しやっても、係合関係を解除することができる。
【０００４】
プラガブルトランシーバの脱着機構については種々機構が提案されている。ＵＳＰ ６,４３９,９１８号明細書（特許文献１）では、ベールとアクチュエータを用いる方法について開示する。ベールを、ケージに挿入された状態のトランシーバの前端面で回転させることで、ベールの一端がアクチュエータの一端を外方におしやり、支点を中心にシーソー運動するアクチュエータの他方端がトランシーバ内に引き込まれることで、この他方端に設けられている突起と、ケージのラッチ片との間の係合状態を解除する機構である。
【特許文献１】米国特許第６，４３９，９１８号明細書
【発明の開示】
【発明が解決しようとする課題】
【０００５】
近年、ケージをホスト基板上に３次元的に密に配置し、このホストシステムを光ハブとして用いるプラガブルトランシーバの利用方法が提案されている。例えば、断面積が１ｃｍ四角のトランシーバを横に１６個、縦に２〜４個並列に配置し、３２〜６４チャンネルを有する光通信用のハブが容易に実現できる。この様なシステムでは、隣接するケージ内にトランシーバが挿入されていて、光コネクタがそのトランシーバと係合されている状態では、トランシーバをケージから引き抜く際に、隣接するトランシーバ、光ケーブルが邪魔となって、係合を外そうとするトランシーバのベールに手を触れることができなくなる場合がままあった。
【０００６】
本発明は以上の背景をもとに為されたものであって、上の様な密に実装されたトランシーバを備える光ハブにおいても、目的とする光トランシーバをケージから解放することが可能なトランシーバの脱着機構を提案するものである。
【課題を解決するための手段】
【０００７】
本発明に係る光トランシーバは、ホストシステムのケージに挿入してプラガブルに用いられるプラガブルタイプの光トランシーバであり、レセプタクル、ベール、アクチュエータで構成される、当該ケージとのラッチ状態を解除する機構を備える。
【０００８】
レセプタクルは一対の側壁とこの側壁に挟まれた中央隔壁とを有する。ベールはレセプタクルに装着され、一対の脚部とこの脚部を連結するブリッジ部とを有する。脚部にはレセプタクルの側壁に設けられた突起が貫通する開口を有し、ベールはこの開口を中心としてレセプタクルの前端面で回転可能に装着されている。アクチュエータは、アーム部、支点、本体部とを有し、このアーム部と本体部とが支点を中心にシーソー運動を行う。また、アーム部の先端には、ケージと係合するための突起を備えている。本発明に係る光トランシーバでは、ベールの脚部に、このベールの回転運動をアクチュエータのシーソー運動に変換するカムを有している点に特徴がある。
【０００９】
ベールはその脚部先端に滑り突起をそなえ、一方アクチュエータはカムと接触する内滑り面と、この滑り突起と接触する外滑り面とを備えている。そして、アクチュエータは、ベールのカムと滑り突起とに挟まれた状態のまま、ベールの回転運動に合わせてシーソー運動を行うため、シーソー運動をスムーズに行えるだけでなく、アクチュエータがベール、及びレセプタクルから離脱するのを防いでいる。
【００１０】
ベールの脚部のうち、開口を含む主面に対し、その滑り突起を含む先端部の面がオフセットされていることが好適である。この様な形態を採用することで、ベールに強い応力が作用されたとしても、レセプタクルの側壁突起のベール脚部開口との係合関係が解除されることを防止できる。
【００１１】
さらに、カムは第１、第２、第３の部位を含む複合形状を有していることを特徴とする。第２部位は実質的に直線形状を有している。第３部位からベールの回転中心まで距離は、第１部位から回転中心までの距離よりも長く設定されている。そしてベールの初期状態、すなわち、アクチュエータのアーム部先端の突起がケージにラッチされている状態では、カムの第１部位がアクチュエータの内滑り面に接触しており、かつ、この内滑り面とカムの第２部位の直線とが所定の角度を為している。そのため、ベールをこの初期状態から回転させても、この所定角度内ではベールの回転運動がカムを介してアクチュエータのシーソー運動に転換されることがない。所定角度だけベールの回転に遊びを持たせることができる。この状態からさらにベールを回転させ、カムの第２部位がアクチュエータの内滑り面に接触して初めて、ベールの回転運動がアクチュエータのシーソー運動に転換される。
【００１２】
レセプタクル側壁に設けられている突起は、同心円であって、外側同心円の一部が切り欠かれて内側同心円を露出させる形状を有しており、また、ベールの脚部開口の内縁にこの切り欠き部に受納される突起を有していることが好適である。この形態により、開口部の突起が同心円切り欠き部の側面に接触することで、ベールの回転を規制することが可能となる。また、レセプタクル側壁にリブを設け、このリブにベール脚部の一辺を接触させることでも、ベールの回転運動を規制することができる。
【００１３】
本発明のラッチ解除機構においては、アクチュエータ本体部の前端を押し下げることにより、このアクチュエータのシーソー運動をベールの回転運動に転換することが可能である。トランシーバ、ケージがホストシステムに高密度で搭載された場合であって、ベールに手がかりを得るほどの余地を確保できない場合であっても、アクチュエータの前端を押し下げることで、ケージとのラッチ状態を解除できることになる。
【００１４】
また、トランシーバのカバーの前端が支え片を有し、この支え片がアクチュエータを下方から支えることも好適である。
【発明の効果】
【００１５】
本発明により、ケージとの間のラッチ解除動作、及びケージからの引き抜き動作を容易にする構造を備えたトランシーバが提供される。
【発明を実施するための最良の形態】
【００１６】
以下、図面を参照しつつ、本発明に係るケージ解除機構について説明する。図面、詳細な説明において同一の要素に同一の番号を付し、重複する説明を省略する。
【００１７】
図１は本発明に係るトランシーバ１がケージ２に挿入された時の様子を示す俯瞰図である。図１においては、ケージが搭載されているホストシステムの基板、およびフェースパネルは省略されている。
【００１８】
ケージ２は、複数の円形の開口が開けられた金属製の箱であり、その前方端には、ホストシステムのフェースパネルの開口に、このケージが取り付けられた時に、開口の縁と接触して接地電位を強化するための複数の接地フィンガー３が形成されている。ケージ２の開放端にトランシーバ１は挿入され、トランシーバ１の前方端のみ、すなわち、本発明に係るベール１００、アクチュエータ２００、及びレセプタクル３００の部分のみがケージ２から飛び出している。この飛び出した部位は、ホストシステムのフェースパネルからも飛び出す。
【００１９】
図２（Ａ）は、本発明に係るベール１００、アクチュエータ２００、レセプタクル３００で構成される係合機構の組立て図であり、図２（Ｂ）は同組立ての様子を別の方向から俯瞰した図である。本実施の形態のベール１００、アクチュエータ２００、レセプタクルはいずれも樹脂モールド製であり、ベール１００とアクチュエータ２００は、レセプタクル３００に対して組立てられる。
【００２０】
ベール１００は一対の脚部１０２と、当該脚部１０２を連結するブリッジ部１０１を有する。脚部１０２のほぼ中央には、レセプタクル３００にこのベール１００を取り付けるための孔１０３が形成され、ベールはこの孔１０３を中心に、回転運動することができる。そして、脚部１０２の内面であって、当該孔１０３の周囲には、ベール１００のこの孔１０３を中心として回転運動に連動して、アクチュエータ２００をシーソー運動させるためのカム１０５が形成されている。ベール１００の回転運動と、アクチュエータ２００のシーソー運動、及び両者を連動させるカム１０５の機能については後述する。
【００２１】
ベール１００の脚部１０２の先端には、それぞれ滑り突起１０４、及び、この滑り突起上にベールの前面端２０６に対してこの脚部１０２の先端を位置的に整合させるための角突起１０９が形成されている。滑り突起１０４は、ベール１００の回転にあわせアクチュエータ２００の外滑り面２０１上を滑り、アクチュエータ２００がレセプタクル３００から分解しない様にアクチュエータ２００を下方から支える機能を有する。
【００２２】
脚部１０２の一辺１０８は、レセプタクル３００のリブ３１４の側面に接触し、リブ３１４がベール１００の回転ストッパとして機能する。この辺とは反対の辺のブリッジ部１０１側には、平坦部１１０が形成されている。この平坦部１１０は、ベール１００を回転させる際に、指を引っ掛ける手がかりとなる。さらに、ブリッジ部１０１の中央部には複数の溝、リブ１０７が形成されており、この部分も指を引っ掛ける手がかりを与える。
【００２３】
ブリッジ部１０１の内面には窪み１０６が形成されており、レセプタクル３００の上面に形成された凸部３１１にこの窪み１０６が収まって、ベール１００が中立位置に保持される。突起１０６と凹部３１１の関係は逆であっても構わない。すなわち、ベール１００のブリッジ部１０１に凹部１０６があり、レセプタクル３００の対応する個所に突起３１１を形成することもできる。
【００２４】
アクチュエータ２００はレセプタクル３００に取り付けられ、ベール１００の回転運動に合わせてシーソー運動を行う。すなわち、アクチュエータ２００は、支点部２０７を中心に一方側にアーム部２０５、反対側に本体部２０９を有する。アーム部の先端には図１に示すケージ２のラッチ片と係合する突起２０３が形成されている。また、本体部２０９の先端２０６は、ベール１００が中立位置にある時は、レセプタクル３００の先端面、及びベール１００の角突起１０９の先端面と一致する位置にある。
【００２５】
アクチュエータ２００はその支点部２０７がレセプタクルの嘴部３０６に、突起２０３が形成されている面とは反対の面には窪み２０４が形成されこの窪み２０４がレセプタクル３００の下面に形成された突起３０９を受納する様に、レセプタクル３００に取り付けられる。そして、ベール１００の回転運動に合わせて支点部２０７を中心にして本体部２０９とアーム部２０５とがシーソー運動を行う。
【００２６】
ベール１００の脚部１０２の先端に形成されている滑り突起１０４はアクチュエータ２００の本体部２０９の両脇に形成されている外滑り面上をベール１００の回転に合わせ滑り、一方、ベール１００のカム１０５面は、アクチュエータ２００の内滑り面２０２上をベール１００の回転に合わせて滑ることで、アクチュエータ２００をシーソー運動させる。
【００２７】
レセプタクル３００は樹脂をモールド成型して形成されており、同軸形状のパッケージ、及びスリーブを有する発光アセンブリ、受光アセンブリが挿入され中央壁３１０により区画される二つの開口３０１、３０２を有する。一方、ホストシステムのフェースパネルから突き出る側には、一対の側壁３０５と中央区画壁３０６とにより形成された一対のレセプタクル３０３、３０４を有する。レセプタクル３０３は開口３０１につながり、レセプタクル３０４は開口３０２に接続する。すなわち、開口３０１、３０２の近傍に形成された溝３１２、３１３に送信／受信アセンブリに備わるフランジを挟みこむことで、開口内での送信／受信アセンブリの位置が規定される。
【００２８】
一対の外側壁３０５の外面には、ベール１００に対する回転ストッパとなるリブ３１４が形成され、このリブ３１４の側面にベール１００の脚部１０２の一辺を突き当てることでベール１００の回転を規制することができる。さらに、この側壁３０５の外面にはベール１００の回転中心となる突起３０７が設けられている。この突起３０７をベール１００の脚部１０２の中央の開口１０３に貫通させてベール１００の回転中心とする。
【００２９】
レセプタクルの下面にはアクチュエータ２００のシーソー運動を規定する複数の構造物が形成されている。すなわち、下面略中央に断面がほぼ半円形の突起３０９を有し、この突起はアクチュエータ２００のアーム部２０５のつけねに形成された凹み２０４に挿入される。一方、レセプタクル３００の下面の両側部には嘴状の一対の突起３０６を有する。この突起３０６の窪みにアクチュエータ２００のアーム部２０５のつけねであって、凹部２０４が形成されているとは反対の面に形成された断面が半円形の軸２０７を挿入する。したがって、アクチュエータ２００は、この軸２０７を中心にそのアーム部２０５と本体部２０９とがシーソー運動する。レセプタクル３００の底面中央の突起３０９は、アクチュエータ２００がレセプタクル３００から離脱するのを防いでいる。
【００３０】
レセプタクル３００の中央区画壁３０６の上面には、ベール１００のブリッジ部１０１内面に形成された凹部１０６と係合する突起３１１が形成されている。凹部１０６とこの突起３１１とは、ベール１００が初期位置にある時に係合してベール１００の位置を安定化させる。先に説明した様に、凹部と突起の関係は、逆であっても全く同様な機能を提供する。
【００３１】
図３（Ａ）はベール１００、アクチュエータ２００、レセプタクル３００が組立てられた後の様子であって、ベール１００が初期位置にある時の様子を示す図である。図３（Ｂ）は同じ状態をレセプタクル３００のした面から俯瞰した図である。
【００３２】
ベール１００が初期位置にある時は、ベール１００のブリッジ部１０１はレセプタクル３００の上面に位置し、レセプタクル３００の二つの開口３０３、３０４がオープンとなる。この位置はまた、これら二つの開口３０３、３０４に光コネクタが挿入されている状態に対応する。すなわち、アクチュエータ２００の前縁はシーソー運動の最上の位置にあり、レセプタクル３００の前縁に一致している。また、ベール１００の脚部先端にある角突起１０９もアクチュエータ２００の前縁２０６に一致している。
【００３３】
図３（Ｂ）を参照すると、ベール１００が初期位置にある時にレセプタクル３００を下面から俯瞰した様子を示している。ベール１００が初期位置にある時には、アクチュエータ２００のアーム２０５はレセプタクル３００から離れ、アーム２０５の先端に設けられている突起２０３が浮いた状態である。また、ベール１００の脚部１０２先端の滑り突起１０４はアクチュエータ２００の外滑り面２０１の最前部に、その角突起１０９はアクチュエータ２００の先端部２０６に面を一致させている。
【００３４】
図４（Ａ）及び図４（Ｂ）は、それぞれ図３（Ａ）、図３（Ｂ）の状態からベール１００を回転させた時の状況を示している。ベール１００の回転はブリッジ部１０１の中央のリブ１０７、あるいは同両サイドの平坦部１１０を手掛かりとして容易に回転することができる。
【００３５】
ベール１００の脚部１０２の後辺は曲線形状となっているので、ベール１００が回転した場合であっても、レセプタクル３００のリブ３１４が回転の障害となることはない。ベール１００の回転に合わせアクチュエータ２００の先端２０６が下方に押し下げられる。後述する様に、アクチュエータはベール１００のカム１０５と脚部１０２先端の滑り突起１０４との間に挟まれて、レセプタクル３００から完全に離脱することはない。
【００３６】
図４（Ｂ）はその状況を示している。すなわち、ベール１００の回転に合わせて、その脚部１０２の先端滑り突起１０４がアクチュエータ２００の外滑り面２０１上をスライドする。アクチュエータ２００はこのベール１００の滑り突起１０４に支えられてレセプタクル３００から完全に離脱することが防止されている。ベール１００の内面に形成されているカムの作用により、特に、カム面の半径がベール１００の回転に合わせ次第に大きくなるので、アクチュエータ２００はそのカム面と接触している内滑り面が下方に押される。その下方への動きに連動して、軸２０７を回転中心とするシーソーの作用により、アクチュエータ２００のアーム２０５は上方、レセプタクル３００の内側に押し上げられ、アーム２０５先端の突起がレセプタクル３００に引き込まれる。
【００３７】
図５（Ａ）から図５（Ｃ）はこのベール１００の回転とアクチュエータ２００のシーソの動作を模式的に説明する模式図である。同図において、実線がベール１００を示し、点線がアクチュエータ２００を示している。
【００３８】
まず、図５（Ａ）において、ベール１００はその初期位置、中立位置にある。図５（Ａ）では示されていないが、この時ベール１００のブリッジ部１０１中央に形成されている突起１０６が、レセプタクル３００の対応中央隔壁３０６上面に形成されている凹部３１１に嵌めあわされている。この中立位置においては、ベール１００のカム１０５についてその第１の面１０５ａが、アクチュエータ２００の内滑り面２０２に接触している。
【００３９】
カム１０５の形状は、ベール１００の回転中心を中心とする第１の半径ｒ１の第１の円弧部１０５ａ、この円弧部１０５ａに連続する直線部１０５ｂ、及びこの直線部１０５ｂに接続し、ベール１００の回転中心を中心とする第２の半径ｒ２の第２の円弧部、とで形成されている。この中立位置において、カム１０５の直線部１０５ｂと、アクチュエータ２００の内滑り面２０２は角度θを為している。また、アクチュエータ２００の外滑り面２０１は、ベール１００の滑り突起１０４にその最先端部で接触している。
【００４０】
この中立位置からベールを時計方向に回転させた時の様子を図５（Ｂ）が示している。回転角がθ以内の範囲では、カム１０５の第１円弧部１０５ａと直線部１０５ｂの境界点が、アクチュエータ２００の内滑り面上を滑るだけであり回転中心に対して半径ｒ１の一定距離を保ったままであるので、アクチュエータ２００を下方に押し下げることはない。また、ベール１００の滑り突起もアクチュエータ２００の外滑り面上をスライドするが、外滑り面２０１の形状も、この角度θ以内ではベール１００の回転中心を中心とする一定の半径を有する円弧状に形成されているので、滑り突起１０４がアクチュエータ２００を押し上げる、あるいは押し下げることもない。すなわち、ベール１００の回転について角度θの範囲内でその回転運動がアクチュエータ２００のシーソー運動に転換されない遊びの範囲にあることになる。
【００４１】
角度θからさらに回転させるとカム１０５の第２の円弧部１０５ｃがアクチュエータ２００の内滑り面２０２と接触することになる。図５（Ｃ）に示される様に、この状態からさらにベール１００を回転させると、ベール１００の回転中心とアクチュエータ２００の回転中心２０７、及びアクチュエータ２００の内滑り面２０２との相対位置の関係で、ベール１００の回転に合わせてカム２０５の直線部２０５ｂと第２の円弧部２０５ｃとの境界点が常に内滑り面２０２と接触し、かつ、アクチュエータ２００を外方（図５（Ｃ）においては下方）に押しやる動作が実現される。さらに、この時、ベールの滑り突起１０４はアクチュエータ２００の外滑り面２０１を滑り続ける。すなわち、アクチュエータ２００はその内滑り面２０２と外滑り面２０１とをそれぞれベールのカム１０５と滑り突起１０４との間に挟まれつつ、レセプタクル３００から離れる方向に押しやられる。
【００４２】
ベール１００の回転をさらに続けると、そのカム１０５の直線部と第２円弧部１０５ｃの境界点が内滑り面２０２の奥側の円弧部に接する様になる。この円弧部は、ベールの回転中心に対して一定の距離（半径）を保っているので、ベール１００の回転を継続してもアクチュエータ２００の上下運動にその回転が転化されることはない。すなわち、この状態では、カム１０５の第２円弧部１０５ｃと、アクチュエータの内滑り面２０２の円弧部全体とが接している状況である。
【００４３】
以上の様に、ベール１００をその中立状態（初期状態、図５（Ａ））から回転させた場合に、所定の角度θまではアクチュエータ２００の上下運動にベール１００の回転が転化されず、角度θを経た後に初めてアクチュエータ２００の上下運動が開始される。そして、別の所定角度（θよりは大きい）にベール１００の回転が至った場合には、それ以上ベール１００を回転させたとしても、アクチュエータ２００の上下運動には転化されない機構が実現されている。また、ベール１００の回転方向を逆（図５において反時計回り）にしたとしても、ベール１００とアクチュエータ２００の運動機構が上の説明と反対になるのみで、その作用、機能が代わることはない。
【００４４】
図６はベール１００のカム１０５についての変形例を示している。図５に示した例においては、カム１０５の直線部１０５ｂと第２の円弧部１０５ｃとは不連続に接続していた。図６に示す例においては、当該不連続部について、第３の円弧部１０５ｄを設けた例である。この第３の円弧部１０５ｄの半径は、第１の円弧部１０５ａ、第２の円弧部１０５ｃの半径に比較して十分に小さくすることで、図５に基づいて説明したベール１００とアクチュエータ２００のそれぞれ回転運動、上下運動に影響を及ぼすことはない。さらに、直線部１０５ｂと第２円弧部１０５ｃとの境界が愚鈍となっているので、アクチュエータ２００の内滑り面２０２とこの境界との接触がスムーズになる利点が生まれる。
【００４５】
以上の機構を有するベール１００、アクチュエータ２００、及びレセプタクル３００では、そのいずれもが樹脂モールドにより製造されている部品を前提に説明してきた。以下に示す第２の実施の形態、第３の実施の形態においては、ベール１００について金属で形成された場合の例について説明する。
【００４６】
図７（Ａ）、図７（Ｂ）は本発明に係る第２の形態のベール１００ａを用いたラッチ解除機構を説明する図である。このラッチ解除機構は金属製のベール１００ａ、樹脂製のアクチュエータ２００ａ、及び樹脂製のレセプタクル３００ａを有する。ベール１００ａは第１の実施の形態に係るベール１００とは以下の点で異なる形態を有する。
【００４７】
すなわち、第１のベール１００においては、ベールの回転運動をアクチュエータ２００の上下運動に転化するカム１０５が、脚部１０２の内面にベール１００の回転中心を囲む様に設けられていた。本例１００ａでは、脚部１０２の外辺の形状そのものをカム１０５として機能させている。すなわち、脚部１０２は、ベール回転中心に設けられた開口１０３ａ、及びこの開口１０３ａを中心とする半径ｒ１の第１の円弧部１０５ａ、直線部１０５ｂ、半径ｒ２の第２の円弧部１０５ｃで囲まれる形状を有する。また、開口１０３ａの内縁には、ベール１００ａの回転動作を規制するストッパ１１１が形成されており、一方、レセプタクル３００ａの側壁に設けられた回転中心を与える突起３０７ａの形状は、内円と一部が切り取られた外円とを組み合わせた形状を有し、ベール１００ａは外円の周りで、ストッパ１１１が切り取られた個所内で内円に接する様に回転することで、ベール１００ａの有効な角度内でのスムーズな回転が保証されている。
【００４８】
第１の形態のベール１００の滑り突起１０４に対応するものとして、本例のベール１００ａでは、脚部１０２ａの先端に嘴状の構造物１０４ａを備えている。この構造物１０４ａとカム辺１０５ａ〜１０５ｃの間に、アクチュエータ２００ａの外滑り面２０１ａ、及び内滑り面２０２ａを挟むことでアクチュエータ２００ａの離脱を防いでいる。また、図７（Ａ）に見られる様に、本発明に係るトランシーバ１１のケース前端面下部を延長して一対のタブ片１２を設けておき、このタブ片１２によりアクチュエータ２００ａの下方から支えるのも、アクチュエータ２００ａの離脱に対しては効果的となる。
【００４９】
ブリッジ部１０１ａの中央には第１の例にかかる手がかり１０７と同様な機能を有する手がかり１０７ａが、その両サイドにも手がかり１１０ａが形成されている。さらに、本実施の形態のラッチ解除機構においては、アクチュエータ２００ａの前端にも、ベール１００ａの回転を誘起するための手がかり２０６ａが形成されており、第１の実施の形態においては、ベール１００のカム１０５と滑り突起１０４との間にアクチュエータ２００が挟まれていたために、アクチュエータ２００の前端を押し下げたとしても、ベール１００の回転を誘起するのは難しかった。本実施の形態においては、図７（Ｂ）に示す様にアクチュエータ２００ａの前端２０６ａを押し下げることで、ベール１００ａの回転を誘起することが可能となっている。
【００５０】
高密度でホストシステム実装されたプラガブルトランシーバを、ホストシステムのケージから引き抜く場合に、対象とするトランシーバに隣接するトランシーバに光コネクタが挿入されている場合に、ケージとの間のラッチを解除するために、ベール前端まで人の指が挿入できない場合がまま生ずる。この様な時に、ベールのみならず、アクチュエータ前端を押し下げることでラッチを解除できることは好適である。
【００５１】
図８（Ａ）、図８（Ｂ）は、本実施の形態に係るベール脚部１０２ａのカム部１０５及び嘴状構造物１０４ａを拡大して示す図である。図８（Ａ）に示される様に、嘴状構造物１０４ａは脚部１０２ａの主面に対してオフセットされて形成されている。これは、構造物１０４ａとカム１０５のアクチュエータ２００ａの挟み込みの信頼性を増すためである。すなわち、オフセットせずに同一面とした場合には、アクチュエータ２００ａの前端２０６ａを押し下げてベール１００ａの回転運動を誘起させた時に、ベール１００ａの脚部１０２ａを外方に広げる応力が及ぼされる場合があった。構造物１０４ａと脚部１０２ａ主面とをオフセットさせることで、その様な応力が及ぼされた場合であっても、脚部１０２ａがレセプタクル３００の突起３０７ａから抜け落ちることを防止できる。
【００５２】
図８（Ｂ）はカム１０５の構成を示す模式図である。本例のカム１０５は、第１の部位１０５ａ、直線部１０５ｂ、及び第２の円弧部１０５ｃとで構成され、この点に関しては第１の実施の形態に係るカム１０５と同様である。本例のカム１０５においては、ベール１００ａが中立状態にある図８（Ｂ）の状態では、第１の部位１０５ａ、当該部位は実質的に直線的な形状をしている、がアクチュエータ２００ａの内滑り面２０２ａに接している（図７（Ａ）、図７（Ｂ）参照）。
【００５３】
この状態からベール１００ａを回転してゆくと（図８（Ｂ）においては反時計回り）,カム１０５の直線部１０５ｂがアクチュエータ２００ａの内滑り面２０２ａに接するまでは、ベール１００ａの回転運動がアクチュエータ２００ａに転化されることはない。すなわち、中立状態から角度θの間は、第１の実施の形態と同様にベール１００ａが遊び状態となる。角度θを超えて初めてカム１０５の直線部１０５ｂと第２の円弧部１０５ｃの境界点、これはベールの回転中心に対して半径ｒ２の距離にある、がアクチュエータ２００の内滑り面２０２ａを押し下げ始める。ベール１００ａの回転中心、アクチュエータ２００ａの回転中心、及びこの境界点と内滑り面２０２ａの接触点の相互の位置関係により、ベール１００ａの回転に合わせてアクチュエータ２００ａが下方に押し下げられる。第２の円弧部１０５ｃは有限の幅であるが、ベール１００ａの開口１０３ａ内縁に形成されているストッパ１１１の作用により、ベール１００ａの回転は、第２の円弧部１０５ｃが終了する前にその回転を規制される。また、これら一連の回転動作中、アクチュエータ２００ａの外滑り面２０１ａは一貫してベール１００ａの構造物１０４ａに接し、支えられているので、先に説明したトランシーバ１１の前端面下部から伸びだしている支持片１２の機能と合わせて、アクチュエータ２００ａがレセプタクル３００から離脱することはない。
【００５４】
図９（Ａ）、図９（Ｂ）は、本実施の形態に係るラッチ機構について、ベール１００ａの回転運動と、アクチュエータ２００ａの上下運動の様子を示す側面図である。図９（Ａ）はベール１００ａが中立状態、初期状態にある時を示し、図９（Ｂ）はアクチュエータ２００ａの前端２０６ａを押し下げることにより、ベール１００ａの回転運動が誘起される状況を示す図である。
【００５５】
図９（Ａ）にある様に、中立状態（初期状態）においては、カム１０５の第１部位１０５ａとアクチュエータ２００ａの内滑り面２０２ａとが接している。さらに、外滑り面２０１ａとベール１００ａの構造物先端１０４ａとが接している。この状態でアクチュエータ２００ａの本体部は最も上昇した位置にあり、アクチュエータ２００ａの回転中心２０７ａを挟んで反対側に位置するアーム２０５の先端部と突起２０３ａが最も押し下げられた位置にあって、この位置で突起２０３ａはケージ本体に形成されている開口にラッチされている。また、ベール１００ａの開口１０３ａ内のストッパ１１１は、レセプタクル３００の突起の側辺に接し、さらに、ベール１００ａの脚部１０１ａの一辺１０８ａはレセプタクル３００側壁に設けられたリブ３１４の側面に接している。アクチュエータ２００ａはその下面をトランシーバ本体１１のタブ辺１２によりその下方から支えられている。
【００５６】
図９（Ｂ）において、アクチュエータ２００ａの前端２０６ａを下方に押し下げると、外滑り面２０１ａとベール１００ａの構造物１０４ａとの接触点に対しても、これを下方に押し下げる慣性モーメントが作用する。その大きさは、アクチュエータ２００ａの回転中心からの前端２０６ａまで距離、および接触点までの距離に依存する。接触点に対して下方に押し下げる応力が作用すると、この力は、ベール１００ａに対して回転運動を起こすモーメントとしても作用するので、ベール１００ａに回転運動を誘起することが可能となる。
【００５７】
第１の実施の形態においては、アクチュエータ２００の先端２０６を押し下げようとしても、アクチュエータ２００はベール１００のカム１０５と滑り突起１０４との間に挟まれていたために、アクチュエータ２００の先端２０６の押し下げる応力をベール１００の回転運動に転化することができなかった。このため、ベール１００がこの押し下げ運動に対するストッパとして機能し、アクチュエータ２００は上下運動せず、その結果、アクチュエータ２００のアーム２０５先端に設けられている突起２０３を、トランシーバ１１内に引き込むことが不可能であった。
【００５８】
本例においては、アクチュエータ２００ａの先端２０６ａに対する応力が、ベール１００ａの回転運動を誘起するので、ベール１００ａはストッパとしては機能しない。そのため、この先端２０６ａの押し下げにより、アクチュエータ２００ａのアーム２０５ａ先端に設けられている突起２０３ａを回転中心２０７ａについてのシーソー運動によりトランシーバ内に引き込むことが可能となる。
【００５９】
図９（Ａ）の側面図からも明らかな様に、本発明に係るトランシーバが高密度でホストシステムに実装された際、ベール１００ａが初期位置にある場合に、隣接する、この場合には本トランシーバの直ぐ上部に搭載されるトランシーバが障害となって、ベール１００ａの手がかり１０７ａ、１１０ａに指を触れることができない場合が想定される。ベール１００ａを回転させるのは特殊な治具が必要となる場合がある。
【００６０】
その一方、アクチュエータ２００ａの先端２０６ａを押し下げる場合に、その先端２０６ａの直上はトランシーバ本体のレセプタクル３００の開口が大きく設けられていることになる。特殊治具を用いることなく、アクチュエータ２０６ａの先端を下方に押し下げることについて何の問題も生じない。
【００６１】
図１０はさらに別の実施の形態に係るベール１００ｂの俯瞰図である。このベール１００ｂは金属製であり、第２の例に係るベール１００ａと類似の形態を備えている。が、脚部１０２ａの先端構造物１０４ａが、脚部１０２ａの主面に対しオフセット面に形成されていたのに対し、本例のベール１００ｂにおいては、その先端構造物１０４ｂが脚部１０２ｂの主面と同一面に形成されている。このため、第２の例においてはアクチュエータ２００ａの先端２０６ａを押し下げる際のベール１００ｂのレセプタクル３００の突起３０７ｂからの抜けが生ずる可能性がある。
【００６２】
本例においては、そのために、ベール１００ｂのブリッジ部１０１ｂを弧状に形成し、その脚部１０２ｂに対して常に内側に向ける力を作用させている。このため、ベール１００ｂのレセプタクル３００ｂへの嵌め合わせ力が向上し、アクチュエータ２００ｂの先端２０６ｂを下方に押し下げる際の応力が、先端構造部１０４ｂを介してベール１００ｂに伝えられたとしても、ベール１００ｂがレセプタクル３００ｂから抜け落ちるのを防ぐことが可能となる。
【００６３】
また、ブリッジ部１０１ｂ中央には、タブ片１１２ｂを内方に向けて折り曲げて形成し、一対の脚部１０２ｂで囲まれた空間に向けてその先端に凸部１０６ｂを形成している。これは、図１３に示される様に、ベール１００ｂが初期位置にある時に、この先端突起１０６ｂがレセプタクル３００ｂの中央隔壁の上辺３０６ｂに突き当たり、かつ、タブ片を折り曲げたことによる弾性力でこの上片３０６ｂを押し付けることにより中立状態を固定するためのものである。第１、第２の実施の形態においては、ベール１００、１００ａ側に凸部、若しくは凹部、対応するレセプタクル側に凹部、凸部を形成しておき、両者の係合によりベール１００、１００ａの初期位置の規定をしていたが、それと同様の機能を確保するためである。
【００６４】
図１１（Ａ）、図１１（Ｂ）は、本実施の形態に係るベール１００ｂ、アクチュエータ２００ｂの回転運動、上下運動の様子を示している。図１１（Ａ）において、ベール１００ｂはその初期位置にある。すんわち、ベール１００ｂの側辺がレセプタクル３００ｂのリブ３１４ｂの側面の突き当たると同時に、脚部１０２ｂの開口１０３ｂ内縁に形成されたストッパ１１１ｂが、レセプタクル３００ｂの突起３０７ｂに形成された側面の一方に突き当たっている。この状態で、ベール１００ｂのカムの第１部位１０５ａと脚部１０２ｂの先端構造物１０４ｂとの間に、アクチュエータ２００ｂの内滑り面２０２ｂ、外滑り面２０１ｂとが挟まれた状態で、アクチュエータ２００ｂが保持されている。なお、先端構造物１０４ｂは円弧状に形成されているが、その一部が当該円弧から突き出ており、この突き出た部分一点でアクチュエータ２００ｂの外滑り面２０１ｂに接触しており、先端構造物１０４ｂと外滑り面２０１ｂとの間にスムーズな滑り動作を保証している。アクチュエータ２００ｂは、ベール１００ｂが初期位置にある時は、その先端部２０６ｂが最も上に位置し、シーソー運動によりアクチュエータ２００ｂのアーム部２０５ｂの先端に形成されている係合突起２０３ｂが最も押出されていて、ケージの対応する開口に係合している。
【００６５】
ベール１００ｂを回転して図１１（Ｂ）の状態になると、先端構造物１０４ｂとカム面１０５ｂとの間に挟まれていて外滑り面２０１ｂ、内滑り面２０２ｂは、その挟持状態が解放される。この時アクチュエータ２００ｂの内滑り面２０２ｂと接触しているのはベール１００ｂのカム面１０５ｃであり、この面はベール回転中心１０３ｂに対して初期状態（図１１（Ａ）の状態）の接触点よりもその距離が大きいので、アクチュエータ２００ｂの内滑り面２０２ｂを押し下げることになる。しかし、この時には、先端構造物１０４ｂと外滑り面２０１ｂとが既に離れているので、アクチュエータ２００ｂはレセプタクル３００ｂから離脱することも想定されるが、本例においては図７（Ａ）にある様に、トランシーバ１１の先端下面に設けられているタブ片１２がアクチュエータ２００ｂを下方から支えているために、アクチュエータ２００ｂがレセプタクル３００ｂから離脱することもない。
【００６６】
さらに、図１１（Ｂ）の状態においては、ベール１００ｂの脚部１０２ｂの先端がレセプタクル３００ｂのリブ３１４ｂに突き当たってしまうのを避けるために、リブ３１４ｂの下部を面取りして３１５ｂ、脚部１０２ｂの先端がスムーズに回転する様にしている。また、図１１（Ｂ）の状態からベール１００ｂをさらに回転させようとしても、開口１０３ｂ内縁のストッパ１１１ｂが、レセプタクル突起３０７ｂの一の面に突き当たってその回転を規制している。図１１（Ｂ）の状態からさらにベール１００ｂが回転することは抑制されている。
【００６７】
本例においては、図１１（Ａ）、図１１（Ｂ）及び図１２にある様に、レセプタクル３００ｂの中央隔壁の上部３０６ｂが大きく抉られて形成されている。これは、ベール１００ｂを図１１（Ｂ）の解放位置まで回転してケージとの間のラッチを解除した上で、このトランシーバ１１をケージから引き抜く際に、ベール１００ｂのブリッジ部１０１ｂとこの抉り部分３０６ｂとの間に指を差し入れてトランシーバ１１をケージから容易に引き抜くことができる様にするためである。本例においても、図１１（Ａ）の初期位置（ラッチ係合位置）において、アクチュエータ２０６ｂ先端を押し下げることが、ベール１００ｂの回転運動に転化されてベール１００ｂを回転させると同時に、突起２０３ｂをトランシーバ内に引き込んでラッチ状態を解除することができる（図１１（Ｂ）の状態に移る）。そして、その状態でベール１００ｂのブリッジ部１０１ｂをレセプタクル３００ｂとの間に指を差し入れてこのトランシーバ１１をケージから引き抜くことができる。
【００６８】
本例、及び既に説明した一連の形態においては、これら一連のケージとの間のラッチ解除動作、及びケージからの引き抜き動作を容易にする構造を備えたトランシーバ１１が提供される。
【図面の簡単な説明】
【００６９】
【図１】本発明に係る光トランシーバがケージに挿入された時の様子を示す俯瞰図である。
【図２】図２（Ａ）は、本発明に係るベール、アクチュエータ、レセプタクルで構成される係合機構の組立て図であり、図２（Ｂ）はその組立ての様子を別の方向から俯瞰した図である。
【図３】図３（Ａ）は、本発明に係る係合機構の組立て後の俯瞰図であり、図３（Ｂ）はその組立て後の係合機構を別の方向から俯瞰した図である。
【図４】図４（Ａ）は本発明に係る係合機構につき、ベールが回転した時の様子を示す俯瞰図であり、図４（Ｂ）はその状態を別の方向から見た俯瞰図である。
【図５】図５（Ａ）から図５（Ｃ）は、本発明の第１の実施の形態に係るベールとアクチュエータの運動の様子を連続的に示す模式図である。
【図６】第１の実施の形態に係るベールのカム機構に関する一変形例である。
【図７】図７（Ａ）は、本発明の第２実施形態の着脱機構を備えるトランシーバのレセプタクル近傍を俯瞰する図であり、図７（Ｂ）は同第２の実施の形態を別の方向から俯瞰した図である。
【図８】図８（Ａ）は、本発明の第２の実施形態に係るベールのカム部を拡大して示す俯瞰図であり、図８（Ｂ）は、同ベール及びカム部の機能を説明する拡大図である。
【図９】図９（Ａ）は、第２の実施形態に係る着脱機構の一連の運動の様子を示す図である。
【図１０】第２の実施の形態に係るベールの一変形例を示す俯瞰図である。
【図１１】図１１（Ａ）は図１０示す変形例のベールを用いた時の回転とアクチュエータの動きを示す側面図であり、図１１（Ｂ）は同ベールを用いた時のラッチ解放位置での状態を示す側面図である。
【図１２】図１０に示す一変形例のベールをレセプタクルに取り付けた様子を示す俯瞰図である。
【図１３】図１０に示すベールの取り付け状態を示す断面図である。
【符号の説明】
【００７０】
１００，１００ａ，１００ｂ…ベール、２００，２００ａ，２００ｂ…アクチュエータ、３００，３００ａ，３００ｂ…レセプタクル。
【図１】
2005317540.tif 000003
【図２】
2005317540.tif 000004
【図３】
2005317540.tif 000005
【図４】
2005317540.tif 000006
【図５】
2005317540.tif 000007
【図６】
2005317540.tif 000008
【図７】
2005317540.tif 000009
【図８】
2005317540.tif 000010
【図９】
2005317540.tif 000011
【図１０】
2005317540.tif 000012
【図１１】
2005317540.tif 000013
【図１２】
2005317540.tif 000014
【図１３】
2005317540.tif 000015